(57)【要約】【課題】  ハンマーの回動を、比較的単純な構成により、音域にかかわらず適切な高さおよびタイミングで阻止することによって、ハンマーによる弦の打弦を確実に阻止することができるアップライト型ピアノの消音装置を提供する。【解決手段】  ダンパー１４とハンマーシャンク５ｂの間に配置され、軸線を中心として回動自在の駆動ロッド１５と、ダンパー１４とハンマー５の間の駆動ロッド１５よりも上方に配置され、ハンマーシャンク５ｂの上端部付近に対向するように左右方向に延びるストップレール１６と、駆動ロッド１５とストップレール１６を連結する連結部材１７と、駆動ロッド１５を駆動することによって、連結部材１７を介してストップレール１６をハンマーシャンク５ｂの回動範囲に対して進退自在に回動させる駆動機構１８と、を備えていることを特徴とする。【選択図】  図２
2006171236.tif 000002
【特許請求の範囲】
【請求項１】
前後方向に延びる鍵の回動に伴って、ダンパー、および上下方向に延びるハンマーシャンクを有するハンマーを回動させるアップライト型ピアノにおいて、前記ハンマーによる弦の打弦を、通常演奏モード時に許容するとともに、消音演奏モード時に阻止するアップライト型ピアノの消音装置であって、
前記ダンパーと前記ハンマーシャンクの間に配置され、左右方向に延びるとともに、軸線を中心として回動自在の駆動ロッドと、
前記ダンパーと前記ハンマーの間の前記駆動ロッドよりも上方に配置され、前記ハンマーシャンクの上端部付近に対向するように左右方向に延びるストップレールと、
前記駆動ロッドと前記ストップレールの間に延び、前記駆動ロッドと前記ストップレールを連結する連結部材と、
前記駆動ロッドを駆動することによって、前記連結部材を介して前記ストップレールを前記ハンマーシャンクの回動範囲に対して進退自在に回動させる駆動機構と、
を備えていることを特徴とするアップライト型ピアノの消音装置。
【請求項２】
前記ストップレールは、左右方向に並んだ複数のストップレールで構成され、
前記連結部材は、前記複数のストップレールを前記駆動ロッドにそれぞれ連結する複数の連結部材で構成されていることを特徴とする、請求項１に記載のアップライト型ピアノの消音装置。
【請求項３】
前記ダンパーは、ダンパーブロックをそれぞれ有し、左右方向に並んだ複数のダンパーで構成され、
前記連結部材は、隣り合う２つの前記ダンパーの前記ダンパーブロック間に配置されていることを特徴とする、請求項１または２に記載のアップライト型ピアノの消音装置。
【請求項４】
前記ストップレールおよび前記連結部材は、固定用の孔をそれぞれ有し、
これらの孔の一方は、前後方向に延びる長孔で構成され、
これらの孔に通され、前記ストップレールを前記連結部材に固定する固定ねじをさらに備えていることを特徴とする、請求項１ないし３のいずれかに記載のアップライト型ピアノの消音装置。
【請求項５】
前記ストップレールおよび前記連結部材は、上下方向に重なりあった状態で連結されており、
前記ストップレールと前記連結部材の間に前記ストップレールの高さを調整するためのスペーサが介在していることを特徴とする、請求項１ないし４のいずれかに記載のアップライト型ピアノの消音装置。
【請求項６】
前記駆動ロッドのダンパー側の表面に、前記鍵の回動に伴って前記ダンパーが回動したときに当接するクッション材が取り付けられていることを特徴とする、請求項１ないし５のいずれかに記載のアップライト型ピアノの消音装置。
【発明の詳細な説明】
【技術分野】
【０００１】
本発明は、例えば、消音ピアノあるいは自動演奏ピアノなどの複合型ピアノに適用され、ハンマーによる弦の打弦を、通常演奏モード時に許容するとともに、消音演奏モード時に阻止するアップライト型ピアノの消音装置に関する。
【背景技術】
【０００２】
従来のこの種のアップライト型ピアノの消音装置として、例えば特許文献１に開示されたものが知られている。この消音装置５０は、消音ピアノ５１に適用されたものである。図６に示すように、この消音ピアノ５１は、複数の鍵５２ａと、弦５３を打弦するハンマー５４と、弦５３とハンマー５４の間に設けられたダンパー５５と、鍵盤５２の後部上方に設けられ、鍵５２ａの回動に伴って作動し、ハンマー５４およびダンパー５５を回動させるアクション５６などを備えている。
【０００３】
ハンマー５４とダンパー５５のダンパーヘッド５５ａとの間には、回動軸５７と、この回動軸５７に固定された３枚のプレート５８（１つのみ図示）が設けられている。回動軸５７は、鍵５２ａの並び方向（以下「左右方向」という）の全体にわたって連続的に延びており、ブラケット５９を介してセンターレール６０に回動自在に支持されている。回動軸５７の一端部には、ワイヤや突上棒（ともに図示せず）などを介して、ペダル６３が連結されており、回動軸５７は、ペダル６３の踏み込み操作に応じて回動する。
【０００４】
３枚のプレート５８は、それぞれ、消音演奏モード時に、ハンマー５４による弦５３の打弦を阻止するためのものであり、セクションごと、例えば低音域、中音域および高音域の各音域に対応して設けられ、各音域にその左右方向の全体にわたって連続的に延びている。各プレート５８は、ダンパー５５の回動の途中で、ダンパーブロック５５ｂがプレート５８に当接しないようにするために、その側面形状が「く」字状に形成されており、下端部において回動軸５７に固定されている。これらのプレート５８の高さ（上下方向の長さ）は、互いに異なり、高音域側のものほど大きい。各プレート５８は、通常演奏モード時には、ハンマー５４のハンマーシャンク５４ａの回動範囲から退避した退避位置（図６の実線位置）に位置し、一方、消音演奏モード時には、ハンマーシャンク５４ａの回動範囲内に進入した進入位置（図６の点線位置）に回動する。また、プレート５８の前面上端部には、衝撃吸収部材６１が取り付けられている。
【０００５】
以上の構成により、通常演奏モード時には、プレート５８が退避位置に位置するとともに、この状態で、鍵５２ａが押鍵されると、鍵５２ａは支点を中心として図６の時計方向に回動する。この回動に伴ってアクション５６が作動し、そのスプーン６２がダンパー５５を押圧することによって、ダンパー５５が時計方向に回動するとともに、アクション５６のジャック６４がハンマー５４を突き上げることによって、ハンマー５４が反時計方向に回動し、ハンマーヘッド５４ｂが弦５３を打弦する。
【０００６】
一方、消音演奏モード時には、ペダル６３を踏み込むことによって、プレート５８が回動軸５７と一体に時計方向に進入位置まで回動する。そして、鍵５２ａが押鍵されると、通常演奏モード時と同様にしてハンマー５４が反時計方向に回動する。この回動の途中、ハンマーヘッド５４ｂが弦５３を打弦する直前で、ハンマーシャンク５４ａの上端部が進入位置に位置するプレート５８に当接することによって、ハンマー５４のそれ以上の回動が阻止され、弦５３の打弦が阻止される。ハンマー５４のハンマーヘッド５４ｂの大きさは一般に、高音側ほど小さいため、ハンマー５４のハンマーヘッド５４ｂとダンパー５５のダンパーヘッド５５ａとの間の上下方向の間隔は、高音側ほど大きくなる。このため、前述したように、プレート５８の高さを、高音域側ほど大きくすることにより、高音域側においても、ハンマーシャンク５４ａをできるだけ上端に近い位置でプレート５８に当接させることによって、この当接位置よりも上端側のハンマーシャンク５４ａの撓みを抑制し、ハンマー５４の停止の精度を向上させるようにしている。
【０００７】
上述した従来の消音装置５０では、プレート５８を、所定の高さに設置するとともに、所定の前後方向の位置に精度よく設置することが重要である。これは、次の理由による。すなわち、通常演奏モードでは、ハンマー５４の運動エネルギーをできるだけ弦５３に伝達するために、ジャック６４がバット６５から外れてからハンマーヘッド５４ｂが打弦するまでのハンマー５４の回動ストロークが非常に狭く設定されており、消音演奏モードでは、そのような非常に狭いストローク内でハンマーシャンク５４ａをプレート５８に当接させる必要があるためである。例えば、プレート５８がハンマー５４側にずれた場合には、ジャック６４がバット６５から外れる前に、ハンマーシャンク５４ａがプレート５８に当接するおそれがあり、そのときには、ハンマーシャンク５４ａがプレート５８に当接したときの衝撃が、演奏者の指先に伝わったり、鍵５２ａがそれ以上回動できなくなるなどの不具合が生じる。一方、プレート５８がダンパー５５側にずれた場合には、ハンマーシャンク５４ａの当接タイミングが遅くなり、消音演奏モードであるにもかかわらず、弦５３の打弦が行われるおそれがある。
【０００８】
しかし、上述した従来の消音装置５０では、３枚のプレート５８が直接、回動軸５７に固定されているので、プレート５８の高さや前後方向の位置が部品の寸法誤差や組立誤差によってずれた場合に、これを調整することができず、その結果、上述した不具合を生じるおそれがある。同じ理由から、ダンパー５５の回動の途中で、ダンパーブロック５５ｂがプレート５８に当接しないように、プレート５８が「く」字状に形成されており、その形状が複雑になってしまう。
【０００９】
本発明は、このような課題を解決するためになされたものであり、消音演奏モード時に、ハンマーの回動を、比較的単純な構成により、音域にかかわらず適切な高さおよびタイミングで阻止することによって、ハンマーによる弦の打弦を確実に阻止することができるアップライト型ピアノの消音装置を提供することを目的とする。
【００１０】
【特許文献１】特許第２７４３８６２号公報
【発明の開示】
【課題を解決するための手段】
【００１１】
この目的を達成するために、請求項１に係る発明は、前後方向に延びる鍵の回動に伴って、ダンパー、および上下方向に延びるハンマーシャンクを有するハンマーを回動させるアップライト型ピアノにおいて、ハンマーによる弦の打弦を、通常演奏モード時に許容するとともに、消音演奏モード時に阻止するアップライト型ピアノの消音装置であって、ダンパーとハンマーシャンクの間に配置され、左右方向に延びるとともに、軸線を中心として回動自在の駆動ロッドと、ダンパーとハンマーの間の駆動ロッドよりも上方に配置され、ハンマーシャンクの上端部付近に対向するように左右方向に延びるストップレールと、駆動ロッドとストップレールの間に延び、駆動ロッドとストップレールを連結する連結部材と、駆動ロッドを駆動することによって、連結部材を介してストップレールをハンマーシャンクの回動範囲に対して進退自在に回動させる駆動機構と、を備えていることを特徴とする。
【００１２】
このアップライト型ピアノの消音装置によれば、ダンパーとハンマーのハンマーシャンクとの間に、回動自在の駆動ロッドが左右方向に延びるように配置されている。この駆動ロッドに連結部材を介してストップレールが連結されており、このストップレールは、駆動ロッドよりも上方に配置され、ハンマーシャンクの上端部付近に対向するように左右方向に延びている。また、駆動機構は、駆動ロッドを駆動することによって、連結部材を介して、ストップレールをハンマーシャンクの回動範囲に進退自在に回動させる。
【００１３】
この構成によれば、通常演奏モード時には、駆動機構により、ストップレールをハンマーシャンクの回動範囲から退避した退避位置に回動させることにより、鍵の回動に伴うハンマーによる弦の打弦が許容され、それにより通常演奏が行われる。一方、消音演奏モード時には、ストップレールを、ハンマーシャンクの回動範囲に進入した進入位置に回動させることにより、ストップレールにハンマーシャンクの上端部が当接することによって、ハンマーシャンクの回動が阻止され、それにより、打弦が阻止される。
【００１４】
本発明によれば、ストップレールが連結部材を介して駆動ロッドに連結されているので、この連結部材のサイズや形状により、それぞれの音域において、前述したハンマーの大小やハンマーヘッドの高さにかかわらず、ハンマーシャンクに対するストップレールの高さおよび前後方向の位置を適切に設定することができる。したがって、消音演奏モード時におけるハンマーの回動を、音域にかかわらずハンマーシャンクの上端部の適切な高さにおいて適切なタイミングで阻止でき、ストップレールに当接したときのハンマーシャンクの撓みを抑制しながら、ハンマーによる打弦を確実に阻止することができる。また、駆動ロッドとストップレールを連結部材で連結するだけでよいので、比較的単純な構成で消音装置を実現することができる。
【００１５】
請求項２に係る発明は、請求項１に記載のアップライト型ピアノの消音装置において、ストップレールは、左右方向に並んだ複数のストップレールで構成され、連結部材は、複数のストップレールを駆動ロッドにそれぞれ連結する複数の連結部材で構成されていることを特徴とする。
【００１６】
この構成によれば、左右方向に並んだストップレールがそれぞれの連結部材を介して駆動ロッドに連結されているので、ハンマーシャンクに対するストップレールの高さおよび前後方向の位置を、各連結部材によりストップレールごとに、よりきめ細かく設定することができる。
【００１７】
請求項３に係る発明は、請求項１または２に記載のアップライト型ピアノの消音装置において、ダンパーは、ダンパーブロックをそれぞれ有し、左右方向に並んだ複数のダンパーで構成され、連結部材は、隣り合う２つのダンパーのダンパーブロック間に配置されていることを特徴とする。
【００１８】
この構成によれば、連結部材が、隣り合う２つのダンパーのダンパーブロック間に配置されているので、ダンパーの回動に伴って、ダンパーブロックが連結部材に衝突するのを防止することができる。その結果、それに起因する雑音の発生やダンパーの動作不良を回避することができる。
【００１９】
請求項４に係る発明は、請求項１ないし３のいずれかに記載のアップライト型ピアノの消音装置において、ストップレールおよび連結部材は、固定用の孔をそれぞれ有し、これらの孔の一方は、前後方向に延びる長孔で構成され、これらの孔に通され、ストップレールを連結部材に固定する固定ねじをさらに備えていることを特徴とする。
【００２０】
この構成によれば、ストップレールおよび連結部材は、その一方に形成した前後方向に延びる長孔を介して、固定ねじによって固定されている。したがって、この長孔によってハンマーシャンクに対するストップレールの前後方向の位置を、きめ細かく調整することができ、ハンマーの回動を最適なタイミングで阻止することができる。
【００２１】
請求項５に係る発明は、請求項１ないし４のいずれかに記載のアップライト型ピアノの消音装置において、ストップレールおよび連結部材は、上下方向に重なりあった状態で連結されており、ストップレールと連結部材の間にストップレールの高さを調整するためのスペーサが介在していることを特徴とする。
【００２２】
この構成によれば、ストップレールと連結部材の間にストップレールの高さを調整するためのスペーサが介在している。したがって、ハンマーシャンクに対するストップレールの高さをきめ細かく調整することができ、ハンマーシャンクの回動を、その上端部の最適な高さで阻止することができる。
【００２３】
請求項６に係る発明は、請求項１ないし５のいずれかに記載のアップライト型ピアノの消音装置において、駆動ロッドのダンパー側の表面に、鍵の回動に伴ってダンパーが回動したときに当接するクッション材が取り付けられていることを特徴とする。
【００２４】
この構成によれば、駆動ロッドのダンパー側の表面に取り付けられたクッション材に、回動するダンパーが当接することによって、そのときの衝撃を吸収することができる。また、クッション材を駆動ロッドに取り付けることによって、ダンパーレールを省略することができるので、その分、部品点数を削減することができる。
【発明を実施するための最良の形態】
【００２５】
以下、図面を参照しながら、本発明の好ましい実施形態を、詳細に説明する。図１は、本発明の実施形態による消音装置１を適用したアップライト型の消音ピアノ２を示している。なお、以下の説明では、消音ピアノ２を演奏者から見た場合の手前側（同図の右側）を「前」、奥側（同図の左側）を「後」とし、さらに左側および右側をそれぞれ「左」および「右」として、説明を行うものとする。同図に示すように、この消音ピアノ２は、棚板３と、棚板３に載置された複数の鍵４（１つのみ図示）と、鍵４ごとに設けられ、弦Ｓを打弦するハンマー５と、鍵４の後部上方に設けられたアクション６と、本発明に係る消音装置１などを備えている。この消音ピアノ２では、演奏モードが、ハンマー５による弦Ｓの打弦を許容することによってアコースティックな演奏音を発生させる通常演奏モードと、ハンマー５による打弦を阻止するとともに、鍵４の押鍵情報に応じて楽音発生装置（図示せず）によって電子的な演奏音を発生させる消音演奏モードに、切り替えられる。
【００２６】
鍵４は、その中央に形成されたバランスピン孔（図示せず）を介して、棚板３上に設けられたバランスレール３ａから立設するバランスピン７に、回動自在に支持されている。
【００２７】
弦Ｓは、棚板３よりも後方に設けられたフレーム（図示せず）の上端部に打ち込まれた複数のチューニングピン（図示せず）と、これらのチューニングピンよりも下方に埋め込まれた複数のヒッチピン（図示せず）との間に張られ、上下方向に延びている。弦Ｓの長さは、音域に応じて異なり、高音域側ほど短い。高音域の弦Ｓはほぼ鉛直に、中音域および低音域の弦Ｓは互いに交差するように斜めに、それぞれ延びている。
【００２８】
アクション６は、鍵４の押鍵に伴ってハンマー５を回動させるためのものであり、前後方向に延び、各鍵４の後部にキャプスタンスクリュー８を介して載置されたウイッペン９と、ウイッペン９に取り付けられたジャック１０などを備えている。各ウイッペン９は、その後端部においてセンターレール１１に回動自在に支持されている。ジャック１０は、上下方向に延びる突き上げ部１０ａと、その下端部から前方にほぼ直角に延びる係合部１０ｂとから、Ｌ字状に形成されており、その角部においてウイッペン９に回動自在に取り付けられている。センターレール１１の後端部には、ダンパー１４が取り付けられている。
【００２９】
ダンパー１４は、ダンパーレバー１４ａと、ダンパーレバー１４ａから上方に延びるダンパーワイヤ１４ｂと、ダンパーワイヤ１４ｂの上端部が貫入した状態で、スクリュー１４ｆによって固定されたダンパーブロック１４ｅと、ダンパーブロック１４ｅに接着されたダンパーヘッド１４ｃなどで構成されており、ダンパーレバー１４ａの中央において、ダンパーフレンジ１４ｄを介してセンターレール１１に回動自在に取り付けられている。このダンパー１４は、鍵４が離鍵されたときに、振動する弦Ｓにダンパーヘッド１４ｃが当接することにより止音するためのものである。
【００３０】
一方、ハンマー５は、バット５ａと、バット５ａから上方に延びるハンマーシャンク５ｂと、ハンマーシャンク５ｂの上端部に取り付けられたハンマーヘッド５ｃなどで構成されており、バット５ａの下端部において、センターレール１１に回動自在に取り付けられている。図１に示す離鍵状態では、バット５ａにジャック１０の突き上げ部１０ａの先端が係合しているとともに、ハンマーシャンク５ｂがハンマーレール１３に斜めに当接し、ハンマーヘッド５ｃが弦Ｓに対向している。
【００３１】
図１および図２に示すように、本発明に係る消音装置１は、駆動ロッド１５と、ハンマー５の回動を阻止するためのストップレール１６と、駆動ロッド１５とストップレール１６を連結する４つの連結部材１７と、駆動ロッド１５を駆動する駆動機構１８などで構成されている。
【００３２】
駆動ロッド１５は、左右方向に延びる１本の丸棒で構成されており、その長さは、アクション６の左右方向の長さよりも大きい。この駆動ロッド１５は、ハンマー５のハンマーシャンク５ｂとダンパー１４のダンパーワイヤ１４ｂとの間に配置され、３つのアクションブラケット（いずれも図示せず）のそれぞれに、支持金具１９およびＬ形金具２０を介して回動自在に支持されている。図２に示すように、各支持金具１９は、駆動ロッド１５の外周に沿うように湾曲し、側面形状がＵ字状に形成された本体部１９ａと、本体部１９ａの前端から上下に延びる２つの取付部１９ｂ，１９ｂで構成されており、各取付部１９ｂには、孔１９ｃが形成されている。一方、各Ｌ形金具２０の一方の片には、支持金具１９の取付部１９ｂ，１９ｂの孔１９ｃに対応する位置に２つの孔２０ａ，２０ａが形成されている。支持金具１９とＬ形金具２０は、駆動ロッド１５を支持金具１９の本体部１９ａに通した状態で、上記の孔１９ｃ，２０ａを介してねじ（図示せず）を締め付けることにより互いに固定され、それにより、支持金具１９の本体部１９ａとＬ形金具２０の一方の片の間に駆動ロッド１５が挟持されている。各Ｌ形金具２０の他方の片は、各アクションブラケットにねじ止めされている。以上の構成により、駆動ロッド１５は、支持金具１９の本体部１９ａによって回動自在に支持されている。また、駆動ロッド１５のダンパー１４側の表面には、クッション材２１が取り付けられている。このクッション材２１は、例えばゴムなどの弾性材料で構成され、駆動ロッド１５のほぼ全体にわたり、これに沿って延びている。
【００３３】
ストップレール１６は、例えば曲げ加工された金属板で構成されており、図１に示すように、駆動ロッド１５よりも上方に配置され、ハンマーシャンク５ｂの上端部付近に対向するように設けられている。図２に示すように、このストップレール１６は、高音域レール２２、中音域レール２３および低音域レール２４で構成されており、これらは左右方向に並んだ状態で設けられている。高音域レール２２は、左右および前後方向に延びる長方形状の本体部２２ａと、本体部２２ａの左右の端部に設けられた２つの取付部２２ｂ，２２ｂと、本体部２２ａの前端から下方に直角に屈曲する屈曲部２２ｃで構成されている。各取付部２２ｂには、前後２つの長孔２２ｄ，２２ｄが形成されており、各長孔２２ｄは、前後方向に延びている。また、屈曲部２２ｃの前面には、例えばゴムなどの弾性材料で構成されたクッション材２５が取り付けられている。
【００３４】
中音域レール２３は、左右および前後方向に延びる長方形状の第１本体部２３ａと、第１本体部２３ａの左端から斜め上方に延びる長方形状の第２本体部２３ｂと、第１本体部２３ａの右端部に設けられた第１取付部２３ｃと、第２本体部２３ｂの左端から下方に延びるとともに、その下端から左方に延びる第２取付部２３ｄと、第１および第２本体部２３ａ，２３ｂの前端からそれぞれ下方に直角に屈曲する２つの屈曲部２３ｅ，２３ｅで構成されている。
【００３５】
このように、高音域レール２２と異なり、中音域レール２３が、第１本体部２３ａと、その左端から斜め上方に延びる第２本体部２３ｂで構成されているのは、次の理由による。すなわち、前述したように、中音域および低音域の弦Ｓは、互いに交差するように異なる方向に延びており、両音域の境界付近では、図４に示すように、弦Ｓに沿って異なる角度で配置される中音域側のダンパー１４と低音域側のダンパー１４が互いに接触するのを避けるため、中音域側のダンパー１４が低音域側のそれよりも高い位置に配置されている。これに伴い、この境界付近では、中音域のハンマー５のハンマーヘッド５ｃの高さが、低音域側のそれに対して不連続に高くなっている。中音域レール２３の上記の構成は、以上のような中音域と低音域との境界付近における中音域のハンマー５およびダンパー１４の高さの不連続な変化に対応したものであり、第１本体部２３ａに対して斜めの第２本体部２３ｂを設けることによって、ハンマーヘッド５ｃとダンパーヘッド１４ｃの間に中音域レール２３を配置することができる。
【００３６】
また、第１および第２取付部２３ｃ，２３ｄには、高音域レール２２の各取付部２２ｂと同様、前後方向に延びる前後２つの長孔２３ｆ，２３ｆが形成され、また、各屈曲部２３ｅの前面には、高音域レール２２の屈曲部２２ｃと同様のクッション材２５が取り付けられている。
【００３７】
低音域レール２４は、高音域レール２２と同様の本体部２４ａと、本体部２４ａの両側の２つの取付部２４ｂ，２４ｂと、本体部２４ａの前端から下方に直角に屈曲する屈曲部２４ｃで構成されている。各取付部２４ｂには、高音域レール２２と同様の前後２つの長孔２４ｄ，２４ｄが形成され、また、屈曲部２４ｃの前面には、クッション材２５が取り付けられている。
【００３８】
図２および図３に示すように、４つの連結部材１７は、駆動ロッド１５の両端部および高中音域の境界付近に設けられる通常用の３つの連結部材２６（図３（ａ））と、中低音域の境界付近に設けられる境界用の連結部材２７（同図（ｂ））で構成されている。これらの通常用の連結部材２６は、駆動ロッド１５と、高音域レール２２、高・中音域レール２２，２３および低音域レール２４をそれぞれ連結するためのものである。図３（ａ）に示すように、各連結部材２６は、下側のロッド固定部２６ａと、上側の水平なレール固定部２６ｂと、ロッド固定部２６ａとレール固定部２６ｂをつなぐ鉛直な連結部２６ｃで構成されている。ロッド固定部２６ａは、互いに所定の間隔を存する左右２つの板部２６ｄ，２６ｄと、これらの板部２６ｄ，２６ｄの前端間を連結する連結板部２６ｅで構成されている。各板部２６ｄには、駆動ロッド１５を挿入するためのＵ字状の切欠き２６ｆが形成されており、この切欠き２６ｆは、前方が閉鎖され、後方が開放している。また、連結板部２６ｅの中央には、孔２６ｇが形成されている。このような構成により、切欠き２６ｆに駆動ロッド１５を後方から挿入し、孔２６ｇを介して駆動ロッド１５にねじ３４をねじ込むことによって、通常用の連結部材２６が駆動ロッド１５に固定されている。
【００３９】
高音域側および低音域側の連結部材２６のレール固定部２６ｂには、前後２つの孔２６ｈ，２６ｈが形成されており、これらの孔２６ｈと、高音域レール２２の高音側の取付部２２ｂの長孔２２ｄおよび低音域レール２４の低音側の取付部２４ｂの長孔２４ｄとを合わせた状態で、固定ねじ２８（１つのみ図示）をねじ込むことによって、高音域レール２２および低音域レール２４がレール固定部２６ｂに固定されている。また、高中音域の境界付近の連結部材２６のレール固定部２６ｂは、他の連結部材２６のレール固定部２６ｂよりも大きな幅（左右方向の長さ）を有しており、前後２つの孔２６ｈ，２６ｈが左右２列で計４つ、形成されている。これらの孔２６ｈのうち、右側の孔２６ｈを高音域レール２２の低音側の取付部２２ｂの長孔２２ｄに、左側の孔２６ｈを中音域レール２３の高音側の第１取付部２３ｃの長孔２３ｆに、それぞれ合わせた状態で固定ねじ２８をねじ込むことによって、高音域レール２２および中音域レール２３が、レール固定部２６ｂに固定されるとともに、レール固定部２６ｂを介して互いに連結されている。
【００４０】
一方、境界用の連結部材２７は、駆動ロッド１５と中音域レール２２および低音域レール２４を連結するためのものである。図３（ｂ）に示すように、連結部材２７は、通常用の連結部材２６と同様、下側のロッド固定部２７ａと、上側の水平なレール固定部２７ｂと、ロッド固定部２７ａとレール固定部２７ｂをつなぐ連結部２７ｃで構成されている。ロッド固定部２７ａは、ロッド固定部２６ａと同様、左右２つの板部２７ｄ，２７ｄと、これらの板部２７ｄ，２７ｄの前端間を連結する連結板部２７ｅで構成されている。各板部２７ｄにはＵ字状の切欠き２７ｆが、連結板部２７ｅの中央には孔２７ｇが、それぞれ形成されている。切欠き２７ｆに駆動ロッド１５を後方から挿入し、孔２７ｇを介して駆動ロッド１５にねじ３４をねじ込むことによって、境界用の連結部材２７が駆動ロッド１５に固定されている。
【００４１】
連結部２７ｃは、通常用の連結部材２６の連結部２６ｃと異なり、その下半部が鉛直に延び、その上端から上半部が左方に屈曲し、斜め上方に延びている。このように連結部２７ｃが屈曲するのは、次の理由による。すなわち、前述したように、中低音域の境界付近では、中音域側のダンパー１４が低音域側のそれよりも上方に配置されているので、図４に示すように、連結部材２７の連結部２７ｃの左方に屈曲した上半部を、中音域側の最低音用のダンパーヘッド１４ｃと低音域側の最高音用のダンパーヘッド１４ｃを避けて、これらの間に通すためである。
【００４２】
レール固定部２７ｂには、前後２つの孔２７ｈ，２７ｈが左右２列で計４つ、形成されている。これらの孔２７ｈのうち、右側の孔２７ｈを中音域レール２３の低音側の第２取付部２３ｄの長孔２３ｆに、左側の孔２７ｈを低音域レール２４の高音側の取付部２４ｂの長孔２４ｄに、それぞれ合わせた状態で固定ねじ２８をねじ込むことによって、中音域レール２３と低音域レール２４が、レール固定部２７ｂに固定されるとともに、レール固定部２７ｂを介して互いに連結されている。
【００４３】
また、図２に示すように、高音域レール２２の各取付部２２ｂと通常用の連結部材２６のレール固定部２６ｂとの間には、スペーサ２９が介在している。このスペーサ２９は、高音域レール２２の高さを調整するためのものであり、取付部２２ｂとほぼ同じサイズの矩形状に形成されるとともに、所定の厚さを有している。また、スペーサ２９には、レール固定部２６ｂの孔２６ｈに対応する孔２９ａが形成されている。
【００４４】
駆動機構１８は、駆動レバー３０と、棚板３の下面に配置され、駆動レバー３０を操作するための操作レバー（図示せず）と、駆動レバー３０と操作レバーを接続するワイヤ３１と、駆動レバー３０を上方に付勢するばね３２などで構成されている。
【００４５】
駆動レバー３０は、例えば曲げ加工された金属板で構成されており、駆動ロッド１５の低音側の端部に設けられている。図２に示すように、駆動レバー３０は、前後方向に延びる本体部３０ａと、本体部３０ａの後端部に設けられ、上端から左方に延びる固定部３０ｂと、固定部３０ｂの左端から下方に延びる取付部３０ｃと、本体部３０ａの前端部に設けられ、下端から左方に延びるとともに、その左端から立ち上がる立ち上がり部３０ｄで構成されている。取付部３０ｃには孔３０ｅが形成され、本体部３０ａの後端部には、孔３０ｅに対応する位置に孔３０ｆが形成されており、これらの孔３０ｅ，３０ｆに駆動ロッド１５がはめ込まれている。また、固定部３０ｂには孔３０ｇが形成されており、この孔３０ｇを介して駆動ロッド１５にねじ（図示せず）をねじ込むことによって、駆動レバー３０が駆動ロッド１５に固定されている。また、立ち上がり部３０ｄにはスリット３０ｈが形成されており、このスリット３０ｈを介して立ち上がり部３０ｄ内にワイヤ３１が挿入されている。また、ワイヤ３１は、その一端部に設けた頭部３１ａによって、駆動レバー３０に対して抜け止めの状態になっている。
【００４６】
ばね３２は、その一端部が駆動レバー３０の中央上端部に掛け止めされ、他端部がプレート３３に掛け止めされており、駆動レバー３０を常に上方に付勢している。プレート３３は、センターレール１１に固定されている。
【００４７】
以上の構成の駆動機構１８によれば、操作レバーが操作されていない状態では、駆動レバー３０は、ばね３２の付勢力により図２の反時計方向に回動しており、それに伴い、駆動レバー３０と一体の駆動ロッド１５、ストップレール１６および連結部材１７も反時計方向に回動していて、それにより、ストップレール１６は、ハンマーシャンク５ｂの回動範囲から退避した退避位置（図１の実線位置）に保持されている。この状態では、高中音域および中低音域の境界付近の連結部材２６，２７の連結部２６ｃ，２７ｃは、それに対応する、隣り合う２つのダンパー１４，１４のダンパーブロック１４ｅ，１４ｅ間に部分的に入り込んでいる。この状態から操作レバーを操作すると、ワイヤ３１が引き下げられ、これに伴い駆動レバー３０がばね３２の付勢力に抗して下方に回動し、これと一体の駆動ロッド１５などが図１の時計方向に回動することによって、ストップレール１６がハンマーシャンク５ｂの回動範囲に進入した進入位置（図１の点線位置）に保持される。この状態では、連結部２６ｃ，２７ｃは、ダンパーブロック１４ｅ，１４ｅ間から退避している。
【００４８】
次に、以上の構成の消音装置１の動作を説明する。通常演奏モードで演奏を行う場合には、駆動機構１８の操作レバーを操作することによって、ストップレール１６を退避位置に回動させる。この状態で、鍵４が押鍵されると、鍵４はバランスピン７を中心として図１の時計方向に回動し、この回動に伴ってウイッペン９が反時計方向に回動する。このウイッペン９の回動に伴い、ジャック１０がウイッペン９と一緒に上方に移動し、その突き上げ部１０ａがバット５ａを突き上げることによって、ハンマー５が反時計方向に回動する。そして、この回動の途中で、ジャック１０がバット５ａから外れ、その直後においてハンマーヘッド５ｃが弦Ｓを打弦する。また、ウイッペン９の回動に伴い、ダンパー１４が時計方向に回動し、ダンパーワイヤ１４ｂが駆動ロッド１５のクッション材２１に当接する。
【００４９】
一方、消音演奏モードで演奏を行う場合には、駆動機構１８の操作レバーを操作することによって、ストップレール１６を進入位置に回動させる。鍵４が押鍵されると、通常演奏モード時と同様にしてハンマー５が反時計方向に回動する。この回動の途中、ハンマーヘッド５ｃが弦Ｓを打弦する直前で、ハンマーシャンク５ｂがその上端部において、進入位置に位置するストップレール１６にクッション材２５を介して当接することによって、ハンマー５のそれ以上の回動が阻止され、それにより、打弦が阻止される。
【００５０】
以上のように、本実施形態によれば、高音域レール２２、中音域レール２３および低音域レール２４が、それぞれの連結部材１７を介して駆動ロッド１５に連結されているので、音域によるハンマー５の大小やハンマーヘッド５ｃの高さの差異にかかわらず、すべての音域において、ハンマーシャンク５ｂに対するストップレール１６の高さおよび前後方向の位置を、各連結部材１７により高音域レール２２、中音域レール２３および低音域レール２４ごとにきめ細かく設定することができる。したがって、消音演奏モード時におけるハンマー５の回動を、音域にかかわらずハンマーシャンク５ｂの上端部の適切な高さにおいて適切なタイミングで阻止でき、ストップレール１６に当接したときのハンマーシャンク５ｂの撓みを抑制しながら、ハンマー５による弦Ｓの打弦を確実に阻止することができる。また、駆動ロッド１５とストップレール１６を連結部材１７で連結するだけでよいので、比較的単純な構成で消音装置１を実現することができる。
【００５１】
また、高中音域および中低音域の境界付近の連結部材２６，２７が、ダンパーブロック１４ｅ，１４ｅ間に入り込むように配置されているので、ダンパー１４の回動に伴って、ダンパーブロック１４ｅが連結部材２６，２７に衝突するのを防止することができる。その結果、それに起因する雑音の発生やダンパー１４の動作不良を回避することができる。
【００５２】
また、ストップレール１６および連結部材１７は、ストップレール１６に形成した前後方向に延びる長孔２２ｄ，２３ｆ，２４ｄを介して、固定ねじ２８によって固定されている。したがって、これらの長孔２２ｄ，２３ｆ，２４ｄによって、ハンマーシャンク５ｂに対するストップレール１６の前後方向の位置をきめ細かく調整することができ、ハンマー５の回動を最適なタイミングで阻止することができる。
【００５３】
さらに、高音域レール２２と連結部材１７の間にスペーサ２９が介在している。したがって、スペーサ２９の厚さや枚数などによって、ハンマーシャンク５ｂに対する高音域レール２２の高さをきめ細かく調整することができ、ハンマーシャンク５ｂの回動を、その上端部の最適な高さで阻止することができる。
【００５４】
また、駆動ロッド１５の表面に取り付けられたクッション材２１に、回動するダンパー１４が当接することによって、そのときの衝撃を吸収することができる。また、クッション材２１を駆動ロッド１５に取り付けることによって、ダンパーレールを省略することができるので、その分、部品点数を削減することができる。
【００５５】
図５は、連結部材の変形例を示している。前述した実施形態では、連結部材１７が駆動ロッド１５に対して別個に構成されているのに対し、この変形例では、連結部材４１が駆動ロッド１５と一体に構成されている。この連結部材４１は、駆動ロッド１５の表面から上方に延びる本体部４２と、本体部４２の上端から前方に延びるレール固定部４３で構成されており、レール固定部４３には、実施形態と同様、ストップレール１６を固定するための前後２つの孔４４，４４が形成されている。この構成によれば、連結部材４１が駆動ロッド１５と一体に構成されているので、実施形態と比較して、部品点数や組立工数を削減でき、その分、製造コストを削減することができる。
【００５６】
なお、本発明は、説明した実施形態に限定されることなく、種々の態様で実施することができる。例えば、実施形態では、ストップレール１６を、各音域ごとに分割した３つの高音域レール２２、中音域レール２３および低音域レール２４で構成しているが、これに限らず、全音域にわたる単一のもので構成してもよく、その場合には、ストップレール１６は、すべての音域において、ハンマー５のハンマーヘッド５ｃとダンパー１４のダンパーヘッド１４ｃとの間に通すことができるような形状に形成される。また、実施形態では、長孔２２ｄ，２３ｆ，２４ｄを、ストップレール１６に形成しているが、これに限らず、連結部材１７に形成してもよい。また、実施形態では、ストップレール１６および連結部材１７に、前後２つの長孔２２ｄ，２３ｆ，２４ｄおよび孔２６ｈ，２７ｈをそれぞれ形成しているが、これに限らず、１つのみ形成してもよい。
【００５７】
さらに、実施形態では、スペーサ２９を、高音域レール２２と連結部材１７の間に介在させているが、必要に応じて、中音域レール２３や低音域レール２４と連結部材１７の間にも介在させてもよい。また、実施形態では、通常用の連結部材２６の連結部２６ｃは、鉛直にまっすぐに延びるているが、これに限らず、ハンマー５やダンパー１４の配置に応じて、前後方向や左右方向に適宜、斜めにしたり曲げたりしてもよい。
【００５８】
さらには、実施形態は、本発明を消音ピアノに適用した例であるが、これに限らず、自動演奏ピアノなどの他のタイプのアップライト型ピアノにも適用することが可能である。その他、本発明の趣旨の範囲内で、細部を適宜変更することが可能である。
【図面の簡単な説明】
【００５９】
【図１】本発明の実施形態による消音装置、およびこれを適用した消音ピアノの概略構成を示す図である。
【図２】図１の消音装置の分解斜視図である。
【図３】図１の（ａ）通常用および（ｂ）交差用の連結部材の各斜視図である。
【図４】図２の中音域と低音域の境界付近の拡大図である。
【図５】連結部材の変形例を示す部分斜視図である。
【図６】従来の消音装置を適用した消音ピアノの側面図である。
【符号の説明】
【００６０】
１  消音装置
２  消音ピアノ（アップライト型ピアノ）
４  鍵
５  ハンマー
５ｂ  ハンマーシャンク
１４  ダンパー
１５  駆動ロッド
１６  ストップレール
１７  連結部材
１８  駆動機構
２１  クッション材
２２  高音域レール
２２ｄ  長孔
２３  中音域レール
２３ｆ  長孔
２４  低音域レール
２４ｄ  長孔
２６  通常用の連結部材
２６ｈ  孔
２７  境界用の連結部材
２７ｈ  孔
２８  固定ねじ
２９  スペーサ
Ｓ  弦
【図１】
2006171236.tif 000003
【図２】
2006171236.tif 000004
【図３】
2006171236.tif 000005
【図４】
2006171236.tif 000006
【図５】
2006171236.tif 000007
【図６】
2006171236.tif 000008